(57)【特許請求の範囲】
【請求項１】
透析装置本体と、
一端側がそれぞれ透析液供給源又は透析液送出先に接続され、可撓性を有する複数のチューブ、該チューブの他端側に接続されるチャンバ、及びチャンバの内部を区画するダイヤフラムを備える送液・排液カセットと、
前記チャンバの内部に空気を出し入れすることで前記ダイヤフラムを往復させて定量の透析液を吸引又は送出するエアポンプと、
前記透析装置本体に対して開閉可能に取り付けられたカセット蓋部と、
前記チューブの内部に形成された液体の流路を開閉させる流路開閉機構と、
を備え、
前記流路開閉機構は、
前記チューブを押圧可能な押圧部材、該押圧部材を第１方向に進退させる駆動機構、及び前記カセット蓋部に取り付けられ、前記カセット蓋部を閉じた状態で前記チューブを挟んで前記押圧部材の反対側に配置される押さえ部材を有し、前記押圧部材を前進させて前記チューブを前記押さえ部材に押し付けることで前記流路を閉止し、前記押圧部材を後退させることで前記流路を開放するクランプ部と、
前記クランプ部の近傍において前記チューブの位置を規制するガイド部材と、を備え、
前記ガイド部材は、
ガイド部材本体と、
前記ガイド部材本体において前記第１方向に延びると共に前記チューブの外径以下の幅に形成され、該チューブを前記第１方向に交差する第２方向に挟持し、前記第１方向において前記押圧部材が前進する方向側に開口する溝部と、を備え、
前記クランプ部は、複数の前記チューブに対応して複数配置され、
前記溝部は、複数の前記クランプ部に対応して複数配置される腹膜透析装置。
【請求項２】
前記溝部の幅は、前記チューブの外径よりも小さい請求項１に記載の腹膜透析装置。
【請求項３】
前記ガイド部材は、前記チューブにおける前記クランプ部の近傍の一端側及び他端側に配置される請求項１又は２に記載の腹膜透析装置。
【発明の詳細な説明】
【技術分野】
【０００１】
本発明は、可撓性を有するチューブの内部に形成された液体の流路を開閉する流路開閉機構、及び該流路開閉機構を備える腹膜透析装置に関する。
【背景技術】
【０００２】
従来、患者の腹腔内に透析液を注入し、所定時間経過後に注入した透析液を排出することで、血液中に含まれる老廃物等を体外に排出する腹膜透析装置が提案されている（例えば、特許文献１参照）。このような腹膜透析装置では、透析液を収容する透析液バッグから所定量の透析液を吸引した後、この吸引された透析液を腹腔内に供給する送液工程、及び腹腔内から所定量の透析液（排液）を吸引した後、この吸引された透析液（排液）を排液バッグに排出する排液工程が、それぞれ繰り返し行われる。
【０００３】
上記送液工程及び排液工程を行うための構成として、腹膜透析装置は、一端側が透析液バッグや排液バッグに接続される複数本の可撓性を有するチューブ、これら複数本のチューブの他端側に接続されるチャンバ、及びこのチャンバの内部を区画するダイヤフラム（隔膜）、を備える送液・排液カセットと、この送液・排液カセットの複数本のチューブを押圧して流路を閉止し押圧を解除することで流路を開放する流路開閉機構と、チャンバの内部に空気を出し入れすることでダイヤフラムを往復させて定量の透析液を吸引又は送出するエアポンプと、を備える。
【先行技術文献】
【特許文献】
【０００４】
【特許文献１】特開２００６−１８１３８６号公報
【発明の概要】
【発明が解決しようとする課題】
【０００５】
ところで、流路開閉機構においては、可撓性を有するチューブを所定方向に押圧することでチューブを潰すように変形させて流路を閉止する。そのため、例えば、腹膜透析装置の使用環境の温度が低い場合には、流路を閉止した状態から流路を開放した場合に、変形したチューブの形状が復元されるまでに時間を要し、腹膜透析装置により流路が閉塞したと誤検知されてしまう場合があった。また、流路を開放した場合におけるチューブの形状の復元性が遅れることに起因して、透析液の送液・排液にかかる時間が長くなってしまうとの問題もあった。
【０００６】
従って、本発明は、チューブが変形することに起因する流路の閉塞が生じにくい流路開閉機構及び該流路開閉機構を備える腹膜透析装置を提供することを目的とする。
【課題を解決するための手段】
【０００７】
本発明は、可撓性を有するチューブの内部に形成された液体の流路を開閉させる流路開閉機構であって、前記チューブを押圧可能な押圧部材、及び該押圧部材を第１方向に進退させる駆動機構を有し、該押圧部材を前進させることで前記流路を閉止し、該押圧部材を後退させることで前記流路を開放するクランプ部と、前記クランプ部の近傍において前記チューブの位置を規制するガイド部材と、を備え、前記ガイド部材は、ガイド部材本体と、前記ガイド部材本体において前記第１方向に延びると共に前記チューブの外径以下の幅に形成され、該チューブを前記第１方向に交差する第２方向に挟持する溝部と、を備える流路開閉機構に関する。
【０００８】
また、前記溝部の幅は、前記チューブの外径よりも小さいことが好ましい。
【０００９】
また、前記ガイド部材は、前記チューブにおける前記クランプ部の近傍の一端側及び他端側に配置されることが好ましい。
【００１０】
また、流路開閉機構は、複数の前記チューブに対応して配置される複数の前記クランプ部を備え、前記ガイド部材は、複数の前記クランプ部に対応して配置される複数の前記溝部を有することが好ましい。
【００１１】
また、本発明は、上述の流路開閉機構と、一端側がそれぞれ透析液供給源又は透析液送出先に接続される複数の前記チューブ、該チューブの他端側に接続されるチャンバ、及びチャンバの内部を区画するダイヤフラムを備える送液・排液カセットと、前記チャンバの内部に空気を出し入れすることで前記ダイヤフラムを往復させて定量の透析液を吸引又は送出するエアポンプと、を備える腹膜透析装置に関する。
【発明の効果】
【００１２】
本発明によれば、チューブが変形することに起因する流路の閉塞が生じにくい流路開閉機構及び該流路開閉機構を備える腹膜透析装置を提供できる。
【図面の簡単な説明】
【００１３】
【図１】本発明の一実施形態に係る流路開閉機構を備える腹膜透析装置を示す斜視図である。
【図２】本実施形態の腹膜透析装置の送液・排液カセットの構成を示す図である。
【図３】図１に示す腹膜透析装置における流路開閉機構部分の拡大図である。
【図４】送液・排液カセットが流路開閉機構に取り付けられた状態を示す斜視図である。
【図５】送液・排液カセットが流路開閉機構に取り付けられた状態を示す平面図である。
【図６】流路開閉機構のクランプ部の構成を示す平面図である。
【図７】クランプ部の動作を模式的に示す図であり、図６のＸ−Ｘ線断面に対応する図である。図７（ａ）は、チューブの流路が閉止された状態を示し、図７（ｂ）は、チューブの流路が開放された状態を示す。
【図８】クランプ部の動作を模式的に示す図であり、図６のＹ−Ｙ線断面に対応する図である。図８（ａ）は、チューブの流路が閉止された状態を示し、図８（ｂ）は、チューブの流路が開放された状態を示す。
【図９】ガイド部材の溝部にチューブが挟持された状態を示す正面図である。
【図１０】本実施形態の流路開閉機構によりチューブの流路が閉止された状態を示す斜視図である。
【発明を実施するための形態】
【００１４】
以下、本発明の流路開閉機構及び腹膜透析装置の好ましい一実施形態について、図面を参照しながら説明する。
本実施形態の流路開閉機構１は、図１に示すように、腹膜透析装置１００に適用される。まず、腹膜透析装置１００の構成につき、説明する。
【００１５】
腹膜透析装置１００は、図１及び図２に示すように、透析装置本体１１０と、透析液バッグを収容して加温する加温部１２０と、この加温部１２０を覆う加温部蓋部１１１と、一定量の透析液を吸引及び送出する送液・排液カセット１３０（図２参照）と、送液・排液カセット１３０の流路を開閉する流路開閉機構１と、送液・排液カセット１３０を動作させるエアポンプ１４０と、流路開閉機構１を覆うカセット蓋部１１２と、操作部１５０と、を備える。
【００１６】
透析装置本体１１０は、腹膜透析装置１００の外形を構成する。
加温部１２０は、透析装置本体１１０の上面部に配置される。加温部１２０は、透析液が収容された透析液バッグを収納する収納部１２１と、加温用透析液バッグを加温する加温機構（図示せず）と、を備える。加温部１２０は、加温機構により、収納部１２１に収納された加温用透析液バッグ（透析液）を所定の温度に加温する。加温部１２０において加温される透析液の温度は、温度センサ１２３により測定される。
加温部蓋部１１１は、透析装置本体１１０に対して開閉可能に取り付けられ、加温部１２０を覆う。
【００１７】
送液・排液カセット１３０は、図２に示すように、複数本のチューブ１３１，１３２，１３３，１３４，１３５と、チャンバ１３６と、このチャンバ１３６の内部に配置されるダイヤフラム１３７と、複数本のチューブ１３１，１３２，１３３，１３４，１３５を固定する固定部材１３８と、を備える。
複数本のチューブ１３１，１３２，１３３，１３４，１３５は、可撓性を有する合成樹脂（例えば、軟質のポリ塩化ビニル）により構成される。これらチューブ１３１，１３２，１３３，１３４，１３５の一端側は、それぞれ、透析液供給源（後述の加温用透析液バッグ１０１、補充用透析液バッグ１０２、濃度変更用透析液バッグ１０３）又は透析液送出先（患者Ｐの腹腔内、排液バッグ１０４）に接続される。
【００１８】
本実施形態では、チューブ１３１は、加温部１２０に収納された加温用透析液バッグ１０１に接続され、加温ラインＬ１の一部又は全部（以下同様）を構成する。チューブ１３２は、補充用透析液バッグ１０２（本実施形態では、３つの補充用透析液バッグ１０２）に接続され、補充用ラインＬ２を構成する。チューブ１３３は、補充用透析液バッグ１０２に収容された透析液とは異なる濃度の透析液が収容された濃度変更用透析液バッグ１０３に接続され、濃度変更ラインＬ３を構成する。チューブ１３４は、患者Ｐの腹腔内に接続され、腹膜ラインＬ４を構成する。チューブ１３５は、排液を収容する排液バッグ１０４に接続され、排液ラインＬ５を構成する。
尚、それぞれのチューブは、直接又はコネクタを介してバッグ等に接続される。
【００１９】
チャンバ１３６は、硬質の合成樹脂（例えば、硬質のポリ塩化ビニル）により構成され、所定の容量（例えば、１００ｍｌ）に形成される。本実施形態では、チャンバ１３６は、２つの同形の球面の一部が貼り合わされた形状に形成される。チャンバ１３６の２つの球面の中央には、それぞれ、チャンバ１３６の内部と外部とを連通させる貫通穴１３６ａが形成される。一方の球面の貫通穴１３６ａには、複数本のチューブ１３１，１３２，１３３，１３４，１３５の他端側が接続される。より詳細には、複数本のチューブ１３１，１３２，１３３，１３４，１３５の他端側は、１本のチューブ１３９に集合されており、この集合された１本のチューブ１３９がチャンバ１３６の一方の球面に形成された貫通穴１３６ａに接続される。
【００２０】
ダイヤフラム１３７は、弾性を有する膜部材により構成され、チャンバ１３６の内部を区画する。
【００２１】
固定部材１３８は、矩形の枠状部１３８ａと、一端部が枠状部１３８ａに接続され棒状に延びる棒状部１３８ｂと、を備える。枠状部１３８ａには、複数本のチューブ１３１，１３２，１３３，１３４，１３５が互いに平行に配置された状態でこれらのチューブ１３１，１３２，１３３，１３４，１３５を固定する複数の固定溝１３８ｃ（図２参照）が形成されており、これら固定溝にチューブ１３１，１３２，１３３，１３４，１３５を固定することで、チューブ１３１，１３２，１３３，１３４，１３５が枠状部１３８ａに固定される。棒状部１３８ｂは、他端側がチャンバ１３６に連結されると共に、チューブ１３１，１３２，１３３，１３４，１３５の他端側において集合された１本のチューブ１３９を支持する。
【００２２】
流路開閉機構１は、図１及び図３に示すように、透析装置本体１１０の上面に配置される。この流路開閉機構１には、図３〜図５に示すように、上述の送液・排液カセット１３０が取り付けられる。流路開閉機構１は、送液・排液カセット１３０の複数本のチューブ１３１，１３２，１３３，１３４，１３５の流路を開閉する。
【００２３】
流路開閉機構１は、クランプ部２０と、ガイド部材３０と、を備える。
クランプ部２０は、図６及び図７に示すように、チューブを押圧する押圧部材２１と、この押圧部材２１を進退させる駆動機構２２と、チューブを挟んで押圧部材２１の反対側に配置される押さえ部材２３と、を備える。
【００２４】
本実施形態では、クランプ部２０は、５本のチューブ１３１，１３２，１３３，１３４，１３５それぞれに対応して５セット配置される。より詳細には、図３〜図６に示すように、本実施形態では、クランプ部２０は、２列に配置され、一方の列（図５における右側の列）には、チューブ１３１，１３５を開閉するクランプ部２０が配置され、他方の列（図５における左側の列）には、チューブ１３２，１３３，１３４を開閉するクランプ部２０が配置される。
【００２５】
押圧部材２１は、図３に示すように、先端部（上端部）がチューブの幅（外径）よりもわずかに広い幅を有すると共に尖った（厚さの薄い）形状に形成される。押圧部材２１は、チューブの下方に、先端部の幅方向がチューブの幅方向に沿うように配置される。
【００２６】
駆動機構２２は、図６及び図７に示すように、カム２２１と、このカム２２１に連結され回転軸となる軸部材２２２と、この軸部材２２２を回転させるモータ２２３と、を備える。本実施形態では、駆動機構２２は、２列に配置されたクランプ部２０に対応して、２本の軸部材２２２及びモータ２２３を含んで構成される。そして、一方の列（図６における右側の列）の軸部材２２２に、チューブ１３１，１３５に対応する押圧部材２１を上下方向（第１方向）に移動させるカム２２１が取り付けられ、他方の列（図６における左側の列）の軸部材２２２に、チューブ１３２，１３３，１３４に対応する押圧部材２１を上下方向に移動させるカム２２１が取り付けられる。また、１本の軸部材２２２に取り付けられる複数のカム２２１は、互いに長径部分の位置がずれるように配置される。
【００２７】
以上の駆動機構２２によれば、モータ２２３を駆動して軸部材２２２を回転させることにより、カム２２１が回転する。そして、図７（ａ）及び図８（ａ）に示すように、カム２２１の長径部分により押圧部材２１が押し上げられることで押圧部材２１は上方に移動し、また、図７（ｂ）及び図８（ｂ）に示すように、カム２２１の短径部分により押圧部材２１が押し上げられる力が解除されることで押圧部材２１が下方に移動する。
【００２８】
押さえ部材２３は、図７及び図８に示すように、チューブの上方に、押圧部材２１に対向して配置される。本実施形態では、押さえ部材２３は、図１に示すように、後述のカセット蓋部１１２の内面に取り付けられる。
【００２９】
ガイド部材３０は、図４及び図５に示すように、クランプ部２０の近傍に配置され、チューブの位置を規制する。より具体的には、ガイド部材３０は、流路開閉機構１に取り付けられた送液・排液カセット１３０の複数本のチューブ１３１，１３２，１３３，１３４，１３５それぞれにおけるクランプ部２０（押圧部材２１）の両側に配置される。本実施形態では、クランプ部２０は２列に配置されているため、ガイド部材３０は、４列に配置される。
【００３０】
ガイド部材３０は、図３〜図５に示すように、矩形の板状のガイド部材本体３１と、このガイド部材本体３１に形成される溝部３２と、を備える。
ガイド部材本体３１は、長手方向がチューブの延びる方向に交差（直交）する方向に沿うように配置される。また、ガイド部材３０は、板面が鉛直方向に沿うように配置される。
【００３１】
溝部３２は、ガイド部材本体３１において上側に位置する側縁から上下方向（第１方向）に延びて形成される。また、溝部３２の幅Ｄ１は、図９に示すように、張力等がかかっていない状態（自然状態）におけるチューブの外径Ｄ２以下の幅の部分を有する大きさに形成される。チューブは、この溝部３２に押し込まれることで溝部３２により上下方向（第１方向）に交差（直交）する水平方向（第２方向）に挟持され、位置が規制される。ここで、溝部３２の幅Ｄ１とは、例えば、溝部３２の幅が下方から上方に向かって異なる（拡径する）場合等には、溝部３２のうちのチューブを挟持する部分における中央部の幅を示す。
本実施形態では、溝部３２の幅Ｄ１は、チューブの外径Ｄ２よりも小さい幅に形成される。具体的には、チューブの外径Ｄ２が５ｍｍの場合、溝部３２におけるチューブを挟持する部分の幅Ｄ１は、３．５ｍｍ〜５ｍｍであることが好ましく、４ｍｍ〜４．５ｍｍであることがより好ましい。
【００３２】
本実施形態では、１つのガイド部材３０には、５本のチューブ１３１，１３２，１３３，１３４，１３５に対応して５つの溝部３２が形成される。即ち、１本のチューブは、４つのガイド部材３０（溝部３２）により位置が規制される。そして、そのうちの２つのガイド部材３０（溝部３２）がクランプ部２０（押圧部材２１）の近傍において、チューブを挟持している。
ガイド部材３０が配置される位置は、チューブの径によって影響されるが、上記の例（チューブ外径Ｄ２が５ｍｍ）の場合、クランプ部２０から３．０ｍｍ〜１１．０ｍｍの範囲であることが好ましく、５．０ｍｍ〜９．０ｍｍの範囲であることがより好ましい。ガイド部材３０が配置される位置とクランプ部２０との間の距離を上記範囲に設定することで、後述するように、ガイド部材３０（溝部３２）によりチューブの形状を好適に復元させられる。
【００３３】
以上の流路開閉機構１は、以下のように動作する。
まず、流路開閉機構１に送液・排液カセット１３０を配置する。ここで、図４及び図５に示すように、５本のチューブ１３１，１３２，１３３，１３４，１３５は、それぞれ、クランプ部２０の近傍（クランプ部２０の両側）において、ガイド部材３０の溝部３２により位置が規制される。また、図９に示すように、溝部３２におけるチューブを挟持する部分の幅Ｄ１は、チューブの外径Ｄ２よりも小さく形成されている。これにより、図１０に示すように、溝部３２において、チューブには、水平方向（第２方向）における閉じる側（図１０の矢印方向）に力（テンション）が加えられる。
【００３４】
この状態において、駆動機構２２を動作させる。即ち、モータ２２３を駆動して軸部材２２２を回転させることにより、カム２２１を回転させる。すると、図７（ａ）及び図８（ａ）に示すように、カム２２１の長径部分により押圧部材２１が押し上げられることで押圧部材２１は上方に移動し、チューブを上下方向（第１方向）に押圧する。これによりチューブの流路は閉止される（図１０参照）。また、図７（ｂ）及び図８（ｂ）に示すように、更にカム２２１を回転させてカム２２１の短径部分が押圧部材２１に対応する位置にくると、押圧部材２１が押し上げられる力が解除され押圧部材２１が下方に移動する。これにより、チューブの押圧が解除されて流路が開放される。
【００３５】
ここで、本実施形態では、ガイド部材３０をクランプ部２０の近傍に配置し、かつ、溝部３２の幅Ｄ１をチューブの外径Ｄ２以下に構成することで、クランプ部２０によりチューブが押圧された場合に、溝部３２において、チューブがクランプ部２０により押圧される上下方向（第１方向）に交差する水平方向（第２方向）に広がることを規制できる（図１０参照）。これにより、クランプ部２０によるチューブの押圧が解除された場合に、溝部３２において水平への広がりが規制されることによりチューブに生じるテンション（水平方向の閉じる側に付与される力）により、上下方向に押圧された部分の復元力をアシストできる。よって、押圧が解除された場合に速やかにチューブの形状が復元するので、チューブが変形することに起因する流路の閉塞を生じにくくできる。また、クランプ部２０の近傍において溝部３２によりチューブを挟持することで、クランプ部２０により流路を閉止する場合に精度よく流路を押圧できる。
【００３６】
また、本実施形態では、複数本のチューブ１３１，１３２，１３３，１３４，１３５に対応して配置されるカム２２１の長径部分の位置をずらして軸部材２２２に取り付けた。これにより、カム２２１の長径部分の配置を適宜設定することで、複数本のチューブ１３１，１３２，１３３，１３４，１３５のうちの１本のチューブの流路のみを開放し、他のチューブの流路を閉止させられる。
【００３７】
エアポンプ１４０は、図１に示すように、透析装置本体１１０の内部に配置され、チャンバ１３６の内部に空気を出し入れすることでダイヤフラム１３７を往復させる。より具体的には、エアポンプ１４０は、チューブ（図示せず）を介してチャンバ１３６におけるチューブ１３９が接続されていない側の貫通穴に接続される。そして、エアポンプ１４０によりチャンバ１３６の内部の空気を吸引することで、ダイヤフラム１３７をエアポンプ１４０側に引き寄せていずれかのチューブからチャンバ１３６の内部に透析液を吸引する。また、この状態において、チャンバ１３６の内部に空気を導入することで、ダイヤフラム１３７をチューブ１３９側に押し込んでチャンバ１３６の内部に吸引された透析液を送出する。これにより、一定量（チャンバ１３６の容積）の透析液が吸引又は送出される。
【００３８】
カセット蓋部１１２は、透析装置本体１１０に対して開閉可能に取り付けられ、流路開閉機構１を覆う。このカセット蓋部１１２の内面には、上述のように、流路開閉機構１においてチューブを押さえる押さえ部材２３が取り付けられる。
【００３９】
操作部１５０は、液晶パネル及び各種操作ボタンを含んで構成される。液晶パネルには、透析液の流量等の各種情報が表示される。
【００４０】
次に、以上の腹膜透析装置１００の動作の一例につき説明する。
腹膜透析装置１００を使用する場合、まず、図４に示すように、送液・排液カセット１３０を流路開閉機構１に取り付ける。次いで、送液・排液カセット１３０の複数本のチューブ１３１，１３２，１３３，１３５を、それぞれ、加温用透析液バッグ１０１、補充用透析液バッグ１０２、濃度変更用透析液バッグ１０３、排液バッグ１０４に接続し、プライミングを行う（図２参照）。その後、チューブ１３４を患者Ｐの腹部に接続し、透析を開始する。
【００４１】
ここで、透析を行う場合には、流路開閉機構１により所定の１本のチューブ（例えば、チューブ１３１）の流路を開放し、他のチューブの流路を閉止した状態で、エアポンプ１４０によりチャンバ１３６の内部の空気を吸引することで、流路が開放されているチューブからチャンバ１３６の内部に透析液（この場合、加温用透析液バッグ１０１に収容された透析液）を吸引する。次いで、流路開閉機構１を操作して流路を開放するチューブを変更し（例えば、チューブ１３４の流路を開放し、他のチューブの流路を閉止）、この状態において、チャンバ１３６の内部に空気を導入することで、でチャンバ１３６の内部に吸引された透析液を送出（この場合、患者Ｐの腹腔内に透析液を送出）する。これにより、一定量（チャンバ１３６の容積）の透析液が吸引及び送出される。
【００４２】
以上のように、流路開閉機構１により流路を開放するチューブ変更しながら上記操作を繰り返すことで、透析液の患者Ｐの腹腔内への送液（送液工程）、患者Ｐの腹腔内からの透析液（排液）の回収及び回収した透析液（排液）の排液バッグ１０４への排出（排液工程）、補充用透析液バッグ１０２から加温用透析液バッグ１０１への透析液の補充、並びに濃度変更用透析液バッグ１０３から加温用透析液バッグ１０１への透析液の補充等が行われる。
【００４３】
以上説明した本実施形態の流路開閉機構１及び腹膜透析装置１００によれば、以下のような作用効果を奏する。
【００４４】
（１）流路開閉機構１を、押圧部材２１を上下方向に進退させてチューブの流路を開閉するクランプ部２０と、このクランプ部２０の近傍に配置されチューブの位置を規制するガイド部材３０と、を含んで構成し、このガイド部材３０を、上下方向に延びると共にチューブの外径Ｄ２以下の幅Ｄ１に形成される溝部３２を含んで構成した。これにより、ガイド部材３０をクランプ部２０の近傍に配置し、かつ、上下方向に延びる溝部３２の幅Ｄ１をチューブの外径Ｄ２以下に構成することで、クランプ部２０によりチューブが押圧された場合に、溝部３２において、チューブがクランプ部２０により押圧される方向（上下方向）に交差する水平方向に広がることを規制できる。これにより、クランプ部２０によるチューブの押圧が解除された場合に、溝部３２において水平方向への広がりが規制されることによりチューブに生じるテンション（水平方向の閉じる側に付与される力）により、上下方向に押圧された部分の復元力をアシストできる。よって、押圧が解除された場合に速やかにチューブの形状が復元するので、チューブが変形することに起因する流路の閉塞を生じにくくできる。また、クランプ部２０の近傍において溝部３２によりチューブを挟持することで、クランプ部２０により流路を閉止する場合に精度よく流路を押圧できるので、流路を閉止した状態において液体が漏れ出すことを防げる。即ち、クランプ部２０の近傍に溝部３２を配置し、この溝部３２によりチューブを挟持することで、クランプ部２０（押圧部材２１）によりチューブを押圧する場合に、押圧される部分においてチューブの位置がずれてしまう（押圧部材２１からチューブが逃げてしまう）ことを防げるので、押圧部材２１により好適に流路を閉止できる。
【００４５】
（２）溝部３２の幅Ｄ１を、チューブの外径Ｄ２よりも小さく構成した。これにより、溝部３２においてチューブに対して水平方向により大きなテンションを生じさせられる。よって、（押圧部材２１による）押圧が開放された場合におけるチューブの復元力を更に向上させられる。
【００４６】
（３）ガイド部材３０を、チューブにおけるクランプ部２０の両側（一端側及び他端側）に配置した。これにより、チューブにおけるクランプ部２０に押圧される部分の両側において、チューブが水平方向に広がることを規制できるので、押圧が開放された場合におけるチューブの復元力をより向上させられる。
【００４７】
（４）流路開閉機構１を、複数のクランプ部２０を含んで構成し、ガイド部材３０を、複数のクランプ部２０に対応して配置される複数の溝部３２を含んで構成した。これにより、複数本のチューブ１３１，１３２，１３３，１３４，１３５を流通する液体の流路を好適に開閉させられる。
【００４８】
（５）腹膜透析装置１００を、本実施形態の流路開閉機構１を含んで構成した。これにより、腹膜透析装置１００の使用環境の温度が低い場合等でも、流路を閉止した状態から流路を開放した場合に、チューブが変形することに起因する流路の閉塞を生じにくくできる。よって、より好適に送液及び排液を行える腹膜透析装置１００を実現できる。
【００４９】
以上、本発明の流路開閉機構１及び腹膜透析装置１００の好ましい一実施形態について説明したが、本発明は、上述した実施形態に制限されるものではなく、適宜変更が可能である。
例えば、本実施形態では、流路開閉機構１を５本のチューブの流路を開閉する５つのクランプ部２０を含んで構成したが、これに限らない。即ち、流路開閉機構を、４つ以下のクランプ部２０を含んで構成してもよく、また６つ以上のクランプ部を含んで構成してもよい。
【００５０】
また、本実施形態では、送液・排液カセット１３０を、チャンバ１３６と、ダイヤフラム１３７とを含んで構成して、定量の吸液・送液を実現したが、これに限らない。即ち、送液・排液カセットを、シリンダ及びピストンを含んで構成してもよい。
【００５１】
また、本実施形態では、流路開閉機構１を、腹膜透析装置１００に適用したが、これに限らない。即ち、流路開閉機構を、チューブにより透析液とは異なる液体を流通させる装置に適用してもよい。
【符号の説明】
【００５２】
１  流路開閉機構
２０  クランプ部
２１  押圧部材
２２  駆動機構
３０  ガイド部材
３２  溝部
１３０  送液・排液カセット
１３１  チューブ
１３２  チューブ
１３３  チューブ
１３４  チューブ
１３５  チューブ
１３６  チャンバ
１３７  ダイヤフラム
１４０  エアポンプ
【図１】
0006717036.tif 000002
【図２】
0006717036.tif 000003
【図３】
0006717036.tif 000004
【図４】
0006717036.tif 000005
【図５】
0006717036.tif 000006
【図６】
0006717036.tif 000007
【図７】
0006717036.tif 000008
【図８】
0006717036.tif 000009
【図９】
0006717036.tif 000010
【図１０】
0006717036.tif 000011